(57)【要約】【課題】  コストダウンが図れ、設計が容易になり、複数の送信源からの同時送信を防止することのできる無線装置を提供する。【解決手段】  標準電波のフォーマットに従った信号列の一部にコマンドを形成した電波が４０ＫＨｚの電波によりリーダ部２０から送信され、測温部１０の受信回路１２で受信される。受信回路１２は電波修正時計用のモジュールを用いて構成されており、送信されてきたコマンド及びＩＤを同期回路を通して抽出する。測温部１０は、温度センサＩＣ１５で測定した温度データを送信回路１６により送信する際、リーダ部２０から通知されたＩＤが一致するとき、リーダ部２０からのコマンドに基づいて決定した送信タイミングにより送信する。【選択図】        図１
2005202517.tif 000002
【特許請求の範囲】
【請求項１】
標準電波のフォーマットに従った信号列の一部に独自の信号を形成した電波を前記標準電波の周波数帯で送信する送信部と、
前記電波を受信する受信回路を備え、前記送信部から送信された前記独自の信号を前記受信回路による受信信号から抽出する端末部とを有することを特徴とする無線装置。
【請求項２】
前記受信回路は、長波の標準電波に対応した電波修正時計用のモジュールを用いて構成されていることを特徴とする請求項１記載の無線装置。
【請求項３】
前記端末部は、前記抽出された独自の信号に基づいて送信タイミングを決定し、測定データの送信を行う送信手段を備えることを特徴とする請求項１記載の無線装置。
【請求項４】
前記送信部は、前記独自の信号としてコマンド、文字情報、または画像情報を送信することを特徴とする請求項１記載の無線装置。
【請求項５】
前記送信部は、前記端末部が複数のとき、端末部毎に設定されたＩＤを前記独自の信号に代え、または前記独自の信号と共に送信することを特徴とする請求項１記載の無線装置。
【請求項６】
標準電波のフォーマットに従った信号列の一部に独自の信号を形成した電波を前記標準電波の周波数帯で送信すると共に、前記標準電波の周波数帯とは異なる周波数帯または伝送手段によりデータを受信する受信手段を備えた送受信部と、
内蔵または外部接続によるセンサの検出データを保持する記憶手段、前記標準電波のフォーマットに従った電波を受信すると共に前記送信部から送信された前記独自の信号を受信信号から抽出する受信手段、及び抽出された前記独自の信号に基づいて決定した送信タイミングにより前記記憶手段から読み出した測定データの送信を行う送信手段を備える端末部とを有することを特徴とする無線装置。
【請求項７】
前記受信手段は、長波の標準電波に対応した電波修正時計用のモジュールを用いて構成されていることを特徴とする請求項６記載の無線装置。
【請求項８】
前記端末部は、前記受信手段の受信機能部以外を低消費電力状態にするスリープモードと通常動作状態にするアクティブモードとを備え、
前記送受信部は、前記端末部を前記スリープモードから前記アクティブモードに切り換えるためのウェイクアップコマンドを前記独自の信号として送信することを特徴とする請求項６記載の無線装置。
【請求項９】
前記端末部は、他の端末部と識別するためのＩＤが設定されており、
前記送受信部は、前記ＩＤを前記独自の信号として送信することを特徴とする請求項６記載の無線装置。
【請求項１０】
前記端末部は、前記送受信部から前記ＩＤを受信したとき、前記送信手段により前記記憶手段から読み出した測定データを前記送信タイミングで送信することを特徴とする請求項９記載の無線装置。
【請求項１１】
前記独自の信号は、前記標準電波のフォーマットの時刻情報として存在しない数値を用いることを特徴とする請求項６記載の無線装置。
【発明の詳細な説明】
【技術分野】
【０００１】
本発明は、無線装置に関し、特に、他の装置の用途向けに開発された通信フォーマットに準じた通信手段を形成し、ローコスト化、開発の容易化を図ることのできる無線装置に関する。
【背景技術】
【０００２】
近年、電子化され、かつ無線を通して得たデータ等により動作する機器が増えており、そのような商品の１つに電子時計がある（例えば、特許文献１参照。）。
【０００３】
図９は、電波修正時計の回路構成を示す。電波修正時計１００は、通称、電波時計と呼ばれている。ここに示す電波修正時計１００は、指針によるアナログ表示型を対象としている。時刻情報が重畳された長波である標準電波を受けるアンテナ１０１と、アンテナ１０１で受けた標準電波を処理して時刻情報（タイムコード）として出力する受信回路１０２と、受信回路１０２から出力された時刻情報を記憶するデータ記憶回路１０３と、全体を制御する制御回路１０４と、文字板１０８の指針（長針及び短針）を駆動するステッピングモータの駆動を制御するモータ駆動回路１０５と、指針の針位置を検出する針位置検出回路１０６と、各回路を駆動するための電源１０７とを備えて構成されている。電源１０７は、腕時計タイプはボタン電池で、置き時計タイプは乾電池等である。図９に示した構成のうち、少なくとも、受信回路１０２、データ記憶回路１０３、及び制御回路１０４は、ＣＰＵを含む１つのＬＳＩにモジュール化されている。
【０００４】
アンテナ１０１は、フェライト棒にコイルを巻いたフェライトアンテナ等で構成されている。受信回路１０２は、標準電波の周波数に同調をとるための同調コンデンサ等を備えて構成された同調回路１０９を備えている。また、受信回路１０２は、図示しない増幅回路、バンドパスフィルタ、復調回路、デコード回路等を備え、受信した電波からデジタルデータからなる時刻情報（タイムコード）を取り出してデータ記憶回路１０３に記憶させる。また、制御回路１０４には、水晶振動子による基準発振源１１０が接続されている。
【０００５】
標準電波（ＪＪＹ）は、日本では、４０ｋＨｚ（東日本向け）と６０ｋＨｚ（西日本向け）で送信が行われているが、各電波のタイムコードフォーマットは同じであり、そのタイムコードフォーマットは、例えば、前記特許文献１の図３に示されている。
【０００６】
図９において、標準電波は、１秒毎に１つの信号が送信され、１レコードは６０秒で構成され、１フレームは６０ビットのデータから成っている。この標準電波はアンテナ１０１を介して受信回路１０２で受信及び増幅され、得られた時刻情報はデータ記憶回路１０３に記憶される。この時刻情報は所定時に制御回路１０４によって読み出され、時刻修正処理が実行される。具体的には、受信された時刻情報と針位置検出回路１０６によって検出された現在の針位置情報とを比較回路で比較し、その差に相当するパルスを生成し、時刻カウンタの値を変更してモータ駆動回路１０５で文字板１０８の指針の位置を変更する。
【０００７】
また、研究所等では、研究棟内の複数箇所に複数のデータ検出装置を設置し、これらデータ検出装置による検出データを処理装置で処理することが行われている。あるいは、農園の温室等では、１または複数の温室内の各所に温度センサ及びこの温度センサに接続された送信設備を設置し、この送信設備から温度センサによる温度検出値を無線により送信し、１ヵ所に配置された受信設備によって各送信設備からのデータを処理している。同様のニーズは、スーパーマーケットの冷蔵庫やショーケースの食品毎の温度や賞味期限の管理においても存在する。
【特許文献１】特開２００３−２７９６７６号公報（図２）
【発明の開示】
【発明が解決しようとする課題】
【０００８】
しかし、従来の無線装置によると、電波を用いてある２点間で制御信号等の通信を行う場合、使用する周波数、変調方式、電波形式、送信電力等に応じて専用の回路を新規に設計していたため、コストアップを招くとともに、設計に時間を要していた。特に、無線回路系の回路設計には専門の知識や経験を要するために設計が難しく、無線回路系をＩＣ化させるには、技術や設備、そしてコストを要し、開発期間の短縮も容易ではない。
【０００９】
さらに、送信設備が複数の場合、同時送信を避けるため、相互の送信タイミングをずらす必要があるが、その順番調整のために交信回数が多くなり、その結果、処理時間及びデータ取得の完了までに多くの時間を要することになる。
【００１０】
従って、本発明の目的は、コストダウンが図れ、設計が容易になり、複数の送信源からの同時送信を防止することのできる無線装置を提供することにある。
【課題を解決するための手段】
【００１１】
本発明は、上記の目的を達成するため、第１の特徴として、標準電波のフォーマットに従った信号列の一部に独自の信号を形成した電波を前記標準電波の周波数帯で送信する送信部と、前記標準電波のフォーマットに従った電波を受信すると共に、前記送信部から送信された前記独自の信号を受信信号から抽出する端末部とを有することを特徴とする無線装置を提供する。
【００１２】
この構成によれば、標準電波のフォーマットに従った信号形式の電波の中に独自の信号を形成して送信し、これを端末部で受信して抽出することにより、他の回路の同期をとるための信号等に用いることができるほか、電波修正時計の受信モジュールの利用が可能になり、コストダウン及び開発期間の短縮が可能になり、更に、複数の端末部からの同時送信を防止することが可能になる。
【００１３】
本発明は、上記の目的を達成するため、第２の特徴として、標準電波のフォーマットに従った信号列の一部に独自の信号を形成した電波を前記標準電波の周波数帯で送信すると共に、前記標準電波の周波数帯とは異なる周波数帯または伝送手段によりデータを受信する受信手段を備えた送受信部と、内蔵または外部接続によるセンサの検出データを保持する記憶手段、前記標準電波のフォーマットに従った電波を受信すると共に前記送信部から送信された前記独自の信号を受信信号から抽出する受信手段、及び抽出された前記独自の信号に基づいて決定した送信タイミングにより前記記憶手段から読み出した測定データの送信を行う送信手段を備える端末部とを有することを特徴とする無線装置を提供する。
【００１４】
この構成によれば、標準電波のフォーマットに従った信号形式の電波の中に独自の信号を形成した電波の送信が送受信部によって行われ、端末部では受信した電波から前記独自の信号を受信信号から抽出し、この信号を基に得た送信タイミングにより測定データの送信を行うことにより、送信タイミングを決めることができると共に、電波修正時計の受信モジュールの利用が可能になり、コストダウン及び開発期間の短縮が可能になる。更に、複数の端末部からの同時送信を防止することが可能になる。
【発明の効果】
【００１５】
本発明の無線装置によれば、標準電波に対応した受信回路として電波修正時計の受信モジュールを信号入力に用いることが可能になり、コストダウン及び開発期間の短縮が可能になる。更に、独自の信号の設定を端末部毎に行うことで、複数の端末部からの同時送信を防止することが可能になる。
【００１６】
また、受信回路を標準電波の帯域（４０〜６０ｋＨｚの長波帯）に対応した構成としているので、非常に長い伝播距離を達成することができ、かつ磁界伝播であるため、生体、食肉、金属物等による遮蔽の影響も小さくなる。また、本発明中の長波受信回路は、低消費電力で構成することが可能になるので、電池の長寿命化を実現できる。例えば、３００ＭＨｚ帯の微弱無線で受信回路を構成した場合、消費電流は通常数１０ｍＡ程度となるのに対して、本発明の受信回路では一般的に用いられる包絡線検波方式ではなく、急峻性の高いフィルタを用いると同時に電力増幅した後に信号の整流、積分を行う構成としており、数μ〜数１０μＡで済むことによる。
【発明を実施するための最良の形態】
【００１７】
以下、本発明の実施の形態について図面を基に説明する。
図１は、本発明の実施の形態に係る無線装置の構成を示す。この無線装置１は、温度センサにより検出したデータを送信する測温部１０（端末部）と、この測温部１０からデータを取得するリーダ部２０（送受信部）とにより構成される。リーダ部２０は、複数の測温部１０との交信が可能であると共に、パーソナルコンピュータ３０との接続が可能である。パーソナルコンピュータ３０を接続すれば、１または複数の測温部１０によって検出されたデータを目的に応じて処理する。測温部１０は、例えば温度ロガーであり、その使用台数は１台に限られるものではなく、複数台が存在していてもよい。
【００１８】
測温部１０は、受信アンテナ１１と、受信アンテナ１１に接続された受信回路１２と、受信回路１２に接続された同期回路１３と、同期回路１３に接続されたＣＰＵ回路部１４と、ＣＰＵ回路部１４に接続された温度センサＩＣ１５と、ＣＰＵ回路部１４に接続された送信回路１６と、送信アンテナ１７と、電池１８とを備えて構成されている。
【００１９】
受信アンテナ１１は４０ＫＨｚの電波を受信するものであり、小型の筐体に収納できると共に高効率を得られるバー型が用いられる。受信回路１２は、ＩＣ化されたモジュールであり、図９で説明した電波修正時計用の受信部を備えたモジュールが用いられており、リーダ部２０からの４０ＫＨｚの電波を復調する。
【００２０】
同期回路１３は受信信号からコマンド、ＩＤ等の本発明に係る独自の信号を抽出する。ＣＰＵ回路部１４は、ＣＰＵを中核に構成されており、検出データを記憶するＥＥＰＲＯＭメモリ１４ａと、ＩＤやコマンドを記憶するＩＤメモリ１４ｂとを備えている。送信回路１６は、温度センサＩＣ１５による温度検出データを送信するもので、その使用周波数は、例えば３１５ＭＨｚである。また、アンテナ１７は、プリント基板上に銅箔パターンで形成したスパイラル型である。
【００２１】
リーダ部２０は、測温部１０との送受信及びパーソナルコンピュータ３０との通信を制御するＣＰＵ回路部２１と、このＣＰＵ回路部２１に接続された送信回路２２と、送信回路２２に接続された送信アンテナ２３と、送信アンテナ１７からの電波を受信する受信アンテナ２４と、受信アンテナ２４による信号を増幅及び復調する受信回路２５とを備えて構成されている。
【００２２】
送信回路２２は、４０ＫＨｚの周波数を用いて標準電波（ＪＪＹ）のタイムコードフォーマットに準じた信号の送信を行う回路であり、そのアンテナ２３にはアンテナ１１と同様の構成のものが用いられる。受信アンテナ２４は測温部１０からの３１５ＭＨｚの電波を受信するもので、その信号は受信回路２５によって受信され、受信信号はＣＰＵ回路部２１で処理される。標準電波のタイムコードフォーマットに準じた信号の生成はパーソナルコンピュータ３０またはリーダ部２０のいずれで行ってもよいが、ここではパーソナルコンピュータ３０で行っている。
【００２３】
図２は、受信回路１２の詳細構成を示す。受信回路１２は、受信部４０と、その周辺部品と、コントロールユニット（ＭＣＵ）６０とを備えて構成されている。受信部４０とその周辺部品は、受信アンテナ１１との組み合わせにより４０ＫＨｚ、６０ＫＨｚ、または７７．５ＫＨｚのいずれかに同調をとるためのコンデンサ４１，４２，４３と、コンデンサ４１〜４３の１つを選択するアンテナ同調容量切換回路４４と、このアンテナ同調容量切換回路４４の切り替えを制御する同調コントロール回路４５と、４０ＫＨｚ（東日本用）、６０ＫＨｚ（西日本、アメリカ、イギリス用）、または７７．５ＫＨｚ（ドイツ用）を発振する水晶発振器４６，４７，４８と、この内の１つが接続されたときに対応する周波数を発振する発振回路４９と、アンテナ同調容量切換回路４４による受信信号を発振回路４９による発振周波数で処理してタイムコードフォーマットの各項目を解析するロジック回路５０と、コントロールユニット（ＭＣＵ）６０とのインターフェースをとる入出力回路（Ｉ／Ｏ）５１とを備えて構成されている。
【００２４】
コントロールユニット６０は、同調コントロール回路４５及び入出力回路５１に接続されるインターフェース部及びメモリのほか、これらを制御する制御部を内蔵している。この制御部は水晶発振器６１（３２．７６８ＫＨｚ）の発振周波数を分周して１秒の信号を生成している。更に、コントロールユニット６０は、信号出力端子（ＴＰout）、電源端子（Ｖｃｃ）、グランド端子（ＧＮＤ）、データ端子（Ｄ０〜Ｄ３）、アドレス端子（Ａ０〜Ａ３）、及び制御端子６２を有している。
【００２５】
図３は、測温部１０の外観を示す。プラスチック成形等により作られている筐体７０内にはプリント基板７１が配置され、このプリント基板７１には図１に示した各回路が実装されている。温度センサＩＣ１５はプリント基板７１には搭載されず、筐体７０の底面に検出部が外部に露出させるようにして設置され、或いは高熱伝導率材を介して筐体底面に設置されている。このプリント基板７１の１つのコーナ部近傍には、電池１８が配置され、各回路に電源供給を行っている。更に、筐体７０内には受信アンテナ１１がプリント基板７１の側面に沿って配置され、この受信アンテナ１１に隣接させて外付けセンサを着脱できるスロット７２が設けられている。
【００２６】
図３に示す測温部１０は、温度計測に適し、具体的には、ショーケースや冷蔵庫内の食品毎の温度や賞味期限などの情報を即座に収集する多チャンネル収集のためのシステムに最適である。
【００２７】
図４は、日本の標準電波（ＪＪＹ）のタイムコードフォーマットを示す。このタイムコードフォーマットでは、図４の（ａ）に示すように、１秒毎に一つの信号が送信され、６０秒が１レコードとして構成されている。また、データ項目として現時刻の分、時、現在年の１月１日からの通算目、年（西暦下２桁）、曜日および「うるう秒」が含まれている。各項目の値は、各秒毎に割り当てられた数値の組み合わせによって構成され、そのＯＮ／ＯＦＦの組み合わせから分、時等の各種の情報内容が判断される。
【００２８】
なお、図中「Ｍ」で示されるのは、正分（毎分０秒）に対応するマーカーであり、「Ｐ１〜Ｐ５」で示されるのはポジションマーカーであり、その位置は予め定められている。マーカーを示す信号のパルス幅は約０．２ｍＳであり、各項目においてＯＮ（２進数の「１」）を表す信号は約０．５ｍＳのパルス幅、ＯＦＦ（２進数の０）を表す信号は約０．８ｍＳのパルス幅であって、パルス幅を変化させることでＯＮ信号あるいはＯＦＦ信号の変調を行っている。
【００２９】
従って、図４の（ｂ）に示すように、分の「４０」，「２０」，「１０」，「０」の項目を０．８秒、「３」の項目を０．５秒、その他の項目を０．８秒に設定した場合、分情報は３分になる。また、図４の（ｃ）に示すように、「４０」，「２０」，「３」の項目を０．５秒、「１０」，「０」，「４」の項目を０．８秒、前記以外の項目を０．８秒に設定した場合、分情報は６３分になる。しかし、１時間は６０分であるので、６３分という時刻情報は存在しない。本発明は、この点に着目したもので、６０分や２４時間を越える数値を故意に設定し、標準電波（ＪＪＹ）のタイムコードフォーマットに準じた信号として生成してリーダ部２０から送信し、これを測温部１０で受信し、故意に変更した部分を独自の信号をコマンドやＩＤとして抽出し、測温部１０における送信タイミングの決定やＩＤの照合に用いる。
【００３０】
図５は、無線装置１の設置例を示す。測温部１０Ａ，１０ＢはＩＤが付けられており、このＩＤから測温場所を特定することができる。多数のセンサ部からデータをまとめて集信する場合、従来、一般に、収集側からは通信範囲内にある測温部１０の全てのＩＤを認識しておき、その認識に応じて各ＩＤに対して欲しい情報を要求する方式を用いていたが、全ての情報を集信するまでに相当の時間を要してしまう欠点がある。
【００３１】
図６は、多数のセンサ部からデータをまとめて集信する場合の従来の通信方法を示す。送受信側（図５のリーダ部２０に相当）からＩＤ確認要求が出されると、端末側（測温部１０に相当）からは全台数分のＩＤ（＃１〜＃Ｎ）が送信される。送受信側では受信したＩＤをＩＤ格納テーブルに保存する。その後、送受信側では１つのＩＤに対するデータ送信を要求する（ＩＤ＋データ要求信号）。これに対し、端末部は対応するＩＤを持つ端末側からデータが返信される。送受信側は端末側からのデータを受信し、データを処理する。このように、従来の通信方法は、送受信側と端末側の間の交信数が多く、その分だけ情報を集め終わるのに時間を要することになる。
【００３２】
図７は、本発明に係る無線装置１の通信方法を示す。リーダ部２０（送受信部）から測温部１０Ａ，１０Ｂ・・・１０Ｎ（図示せず）に一斉にデータ送信要求（同期指示）が出されるが、これ以後の送信はない。この場合、１つのレコードに１つのＩＤを設定したタイムコードフォーマットによるＮ個のレコードが一度に送信される。
【００３３】
まず、測温部１０ＡではＩＤ（＃１）と、このＩＤに対応するデータ（Ｄ１）とをデータ返信（１）として送信する。以後、図４で説明した送信タイミングにより、データ（２）、データ（３）、・・・データ（Ｎ）が測温部１０Ｂ、・・・、１０Ｎから順次送信される。リーダ部２０では、データ送信要求を出した後は、測温部１０Ａ〜１０Ｎから順番にデータが送信されて来るのを待つのみでよい。このため、図６に示した処理に比べ、交信数を大幅に低減でき、データ（１）〜（Ｎ）を集め終わるまでの時間を大幅に短縮することができる。
【００３４】
図５では、２台の測温部１０Ａ，１０Ｂが用いられ、それぞれは通信可能領域８１，８２を有している。送信アンテナ２３からはウェイクアップ（ｗａｋｅ  Ｕｐ）コマンドが送信された後、次に「データ送信要求コマンド＋ＩＤ」が送信され、この送信に応じて測温部１０Ａ，１０Ｂからはデータが返信される。ウェイクアップコマンドにより測温部１０はアクティブモードにされる。また、ＩＤによって自機か他機かの識別が行われ、自機であればデータ送信要求に応じてデータを送信する。コマンドおよびＩＤは、図４の（ｃ）で説明したようにして設定する。例えば、ウェイクアップコマンドは７０分、ＩＤ１＝２５時、ＩＤ２＝２６時、ＩＤ３＝２７時、・・・のように設定し、データ送信要求コマンドは４０日という具合に設定すればよい。
【００３５】
測温部１０の使用台数が複数になると、測温部１０の相互間に送信時間のズレを持たせておいても、内部クロック等のばらつきにより送信間隔にズレが生じ、ついには送信が同時に発生する衝突がおき、通信不可能になる。そこで、リーダ部２０から測温部１０Ａ，１０Ｂに上記したタイムコードフォーマットを用いて同期用の信号を送り、定期的に同期を統一することで衝突を回避している。
【００３６】
具体的には、測温部１０Ａ，１０Ｂは、リーダ部２０から同期用のコマンドを受信し、このコマンドに基づいて送信タイミングの基準となる同期をとる。同期をとるタイミングは、コマンドの次に受信するマーカー信号Ｐ１である。タイムコードフォーマットに従った送信は、実質、１ｂｐｓ（１ｂｉｔ／ｓｅｃ）のため、同期コマンドを受信した１秒後に各測温部１０の送信タイミングが揃うことになる。送信タイミングが決定されると、温度データが微弱な電波（３１５ＭＨｚ）によって測温部１０Ａまたは１０Ｂから送信され、リーダ部２０で受信される。
【００３７】
なお、測温部１０の受信アンテナ１１及び受信回路１２は、タイムコードフォーマットを受信可能であるため、標準電波（ＪＪＹ）の受信に障害のでない場所に測温部１０が設置されていれば、標準電波（ＪＪＹ）の信号が受信されることになる。しかし、ＣＰＵ回路部１４では標準電波（ＪＪＹ）が受信されても、コマンドに相当する信号以外は無視するので、リーダ部２０からの信号に影響を与えることはない。但し、周波数の設定によっては、周囲の人が持つ腕時計等に影響を及ぼすので、例えば、７７．５ＫＨｚ等の国内用以外の周波数を用いるようにしてもよい。
【００３８】
図８は、図１及び図４に示した無線装置の通信処理を示すフローチャートである。図中、Ｓはステップを表している。図６及び図１〜図５を参照して無線装置１の動作を説明する。ここでは、測温部１０の１台のみについての処理を示している。
【００３９】
図８において、電源オンの状態にある測温部１０は、リーダ部２０から何の要求もないとき、スリープ状態（超低消費電力モード）にあり、測温部１０における電池１８の電力消費を低減している。リーダ部２０からコマンドの送信があるのを監視している（Ｓ２０１）。このスリープ状態にあるとき、パーソナルコンピュータ３０からリーダ部２０に指令が出されると、リーダ部２０は、送信回路２２を動作させて、図４の（ａ）に示したフォーマット、及び図４の（ｃ）に示した様にして設定されたコマンドを含むデータ送信要求を送信する。
【００４０】
このとき、対象となる測温部１０のそれぞれのＩＤが順次送信される。１レコードが１つの測温部１０に用いられるので、測温部１０がＮ台あればＩＤの異なるＮ個のレコードが連続して送信されることになる。
【００４１】
測温部１０はリーダ部２０からのウェイクアップコマンドを受信回路１２で受信すると、ＣＰＵ回路部１４は超低消費電力モードを解除し、アクティブモードになる（Ｓ２０２）。これにより、測温部１０は動作状態になる。引き続き、リーダ部２０からＩＤとデータ送信要求のコマンドが送信される。これを受信した測温部１０では、ＩＤが自機のＩＤと一致するか否かをＣＰＵ回路部１４で判定する。
【００４２】
ＣＰＵ回路部１４は、温度センサＩＣ１５が検出した温度データを格納しているＥＥＰＲＯＭメモリ１４ａから温度データを読み出すと共に、ＩＤメモリ１４ｂからＩＤを読み出し、「ＩＤ＋データ」を送信回路１６から送信する（Ｓ２０３）。その後、リーダ部２０からの送信が一定時間途絶えたとき、或いは、図５に示す自機の通信可能領域８１または８２の圏外になったとき（Ｓ２０４）、測温部１０は超低消費電力モードになる（Ｓ２０５）。その後、リーダ部２０からの送信を受信すると（Ｓ２０６）、Ｓ２０１に戻って以降の処理が繰り返し実行される。
【００４３】
なお、上記実施の形態においては、分情報に特化して説明したが、実際の標準時刻データより同期をとるようにしてもよい。例えば、「００」分毎に同期をとるようにしておけば１時間毎の同期となり、同様に００時毎に同期を取る仕組みを入れておけば１日（２４時間）毎の同期となる。
【００４４】
また、上記実施の形態においては、標準電波（ＪＳＴ）フォーマットにコマンドを乗せるものとしたが、コマンドではなく文字や画像情報を乗せてもよい。これにより、或る範囲に入ると自動的に注意（禁煙、火の元注意、火気厳禁など）が、携帯端末の画面上に文字や画像で表示することが可能になる。但し、標準電波フォーマットは通信速度が遅いため、大きな情報を転送するのには、かなりの時間を要するので、不向きな場合もある。
【００４５】
更に、上記実施の形態においては、３１７ＭＨｚの電波を用いてデータの送受信を行ったが、必ずしも電波を用いる必要はなく、例えば、赤外線、超音波等を伝送媒体にしてもよい。
【００４６】
また、同期タイミングの取り方には、以下のような手法も考えられる。
（１）同期コマンド十指定時間（標準電波による時刻指定）にする。これにより、日々の指定時刻に合わせることができる。
（２）マーカー同期にする。これにより、閉じたシステムでマーカー信号に応じた返信が可能になる。
（３）００秒セット同期にする。同期コマンドにより、００秒セット（３０秒以上は６０秒に、３０秒未満は００秒）にして同期をとる。
【図面の簡単な説明】
【００４７】
【図１】本発明の実施の形態に係る無線装置の構成を示すブロック図である。
【図２】受信回路の詳細構成を示すブロック図である。
【図３】図１の測温部の概略を示す外観図である。
【図４】標準電波（ＪＪＹ）のタイムコードフォーマットである。
【図５】本発明の実施の形態に係る無線装置の設置例を示す配置図である。
【図６】多数のセンサ部からデータをまとめて集信する場合の従来の通信方法を示すタイムチャートである。
【図７】本発明の実施の形態に係る無線装置の通信方法を示すタイムチャートである。
【図８】本発明の実施の形態に係る無線装置の通信処理を示すフローチャートである。
【図９】電波修正時計の回路構成を示すブロック図である。
【符号の説明】
【００４８】
１、無線装置
１０，１０Ａ，１０Ｂ、測温部
１１、受信アンテナ
１２、受信回路
１３、同期回路
１４、ＣＰＵ回路部
１４ａ、ＥＥＰＲＯＭメモリ
１４ｂ、ＩＤメモリ
１５、温度センサＩＣ
１６、送信回路
１７、送信アンテナ
１８、電池
２０、リーダ部
２１、ＣＰＵ回路部
２２、送信回路
２３、送信アンテナ
２４、受信アンテナ
２５、受信回路
３０、パーソナルコンピュータ
４０、受信部
４１，４２，４３、コンデンサ
４４、アンテナ同調容量切換回路
４５、同調コントロール回路
４６，４７，４８、水晶発振器
４９、発振回路
５０、ロジック回路
５１、入出力回路（Ｉ／Ｏ）
６０、コントロールユニット（ＭＣＵ）
６２、制御端子
７０、筐体
７１、プリント基板
７２、スロット
８１，８２、通信可能領域
１００、電波修正時計
１０１、アンテナ
１０２、受信回路
１０３、データ記憶回路
１０４、制御回路
１０５、モータ駆動回路
１０６、針位置検出回路
１０７、電源
１０８、文字板
１０９、同調回路
１１０、基準発振源
Ａ０〜Ａ３、アドレス端子
Ｄ０〜Ｄ３、データ端子
ＧＮＤ、グランド端子
ＴＰout、信号出力端子
Ｖｃｃ、電源端子
【図１】
2005202517.tif 000003
【図２】
2005202517.tif 000004
【図３】
2005202517.tif 000005
【図４】
2005202517.tif 000006
【図５】
2005202517.tif 000007
【図６】
2005202517.tif 000008
【図７】
2005202517.tif 000009
【図８】
2005202517.tif 000010
【図９】
2005202517.tif 000011